(57)【要約】【課題】水道水、逆浸透膜透過水その他の水を中和し、ＰＨ値を一定に保持して弱アルカリ性にする水処理用フィルタ装置を提供する。【解決手段】水処理用フィルタ１は水入口１５及び水出口１６を有するハウジング１１と、ハウジング内に収容して設けたＰＨ調整用処理器１２と、水出口１６と連通させてハウジング１１内に形成された水合流室１３と、水入口１５側と水合流室１３とを連通させてハウジング１１内に形成された水通過用の主通路１４とを備える。ＰＨ調整用処理器は収容ケース１７を備え、このケース内にカルシウム成分を含有する複数個のセラミック固形物１８ｂで構成した第１の水処理剤層１８が充填されている。ケース１７には水入口側と連通させ、ハウジング内に導入される水の一部をケース内に導入させる分流用の水導入部１９と、水合流室と連通した水流出部２０とを設ける。【選択図】            図１
2004243296.tif 000002
【特許請求の範囲】
【請求項１】
水処理用フィルタを備え、水を前記フィルタを通過させて処理する水処理用フィルタ装置において、
前記水処理用フィルタは、水入口及び水出口を有するハウジングと、前記ハウジング内に収容して設けたＰＨ調整用処理器と、前記水出口と連通させて前記ハウジング内に形成された水合流室と、前記入口側と水合流室とを連通させて前記ハウジング内に形成された水通過用の主通路とを備え、
前記ＰＨ調整用処理器は、収容ケース内に充填した第１の水処理剤層と、前記ケースに設けられ、前記水入口からハウジング内に導入される水の一部を分流させて前記ケース内に導入する分流用の水導入部と、前記ケース内と水合流室側とを連通させて前記ケースに設けた水流出部とを備え、
前記水処理剤層はカルシウム成分を含有する複数個のカルシウム成分含有材で構成されていることを特徴とする、
水処理用フィルタ装置。
【請求項２】
請求項１記載の水処理用フィルタ装置において、前記水処理用フィルタの前記水入口側と連結して設けられ、水入口及び水出口を有するハウジング内に第２の水処理剤層を充填した水活性用フィルタをさらに備え、
前記第２の水処理剤層は二価三価鉄塩を含有する複数個のセラミック固形物で構成されていることを特徴とする、水処理用フィルタ装置。
【請求項３】
請求項２記載の前記水活性用フィルタは前記水処理用フィルタの水出口側と連結して設けてあることを特徴とする、請求項１記載の水処理用フィルタ装置。
【請求項４】
請求項１記載の水処理用フィルタ装置において、前記水処理用フィルタの前記水入口と前記主通路及び前記水導入部とを連通させて前記ハウジング内に形成した水処理剤収容室をさらに備え、前記第２の水処理剤層は前記収容室内に充填されていることを特徴とする、水処理用フィルタ装置。
【請求項５】
請求項４記載の水処理用フィルタ装置において、前記水処理剤収容室内に充填した第３の水処理剤層をさらに備え、
前記第３の水処理剤層は活性炭で構成されていることを特徴とする、水処理用フィルタ装置。
【請求項６】
前記カルシウム成分含有材はカルシウム成分を含有するセラミック固形物で構成されていることを特徴とする、請求項１ないし５のいずれかに記載の水処理用フィルタ装置。
【請求項７】
前記カルシウム成分は珊瑚砂、焼成した珊瑚、焼成した貝化石及び焼成した動物骨の群から選ばれる少なくとも１種の物質であることを特徴とする、請求項１ないし６のいずれかに記載の水処理用フィルタ装置。
【請求項８】
前記二価三価鉄塩は、式
Ｆｅ＋２ｍ  Ｆｅ＋３ｎ  Ｃｌ２ｍ＋３ｎ（式中ｍ及びｎは正の整数を示す）で示される化合物であることを特徴とする、請求項２ないし５のいずれかに記載の水処理用フィルタ装置。
【請求項９】
前記二価三価鉄塩は請求項８記載の前記式で示される化合物に代え、磁性を帯びた二価三価鉄塩であることを特徴とする、請求項２ないし５のいずれかに記載の水処理用フィルタ装置。
【請求項１０】
前記磁性を帯びた二価三価鉄塩は、磁鉄鉱を濃塩酸に溶解させた後、この溶液を中和し、この中和した溶液を濃縮して結晶化し、この結晶を、磁鉄鉱を濃塩酸に半溶解させた溶液に加える工程とを含んで得られる化合物であることを特徴とする、請求項９記載の水処理用フィルタ装置。
【請求項１１】
前記水通過用の主通路は前記水処理用フィルタのハウジングの内周壁面と前記ＰＨ調整用処理器の前記ケースの外周壁面との間に形成された間隙部で構成されていることを特徴とする、請求項１ないし５のいずれかに記載の水処理用フィルタ装置。
【請求項１２】
前記水導入部はピンホールで構成されていることを特徴とする、請求項１ないし５のいずれかに記載の水処理用フィルタ装置。
【請求項１３】
前記水流出部はピンホールで構成されていることを特徴とする、請求項１ないし５のいずれかに記載の水処理用フィルタ装置。
【請求項１４】
請求項１ないし１３のいずれかに記載の水処理用フィルタ装置を用いて構成されていることを特徴とする、水処理装置。
【請求項１５】
請求項１４記載の水処理装置において、この水処理装置は前記水処理用フィルタ装置の上流側に連結して設けた逆浸透膜フィルタを備えていることを特徴とする、水処理装置。
【請求項１６】
請求項１５記載の水処理装置において、被処理水を前記逆浸透膜フィルタ側へ送給するポンプをさらに備えていることを特徴とする、水処理装置。
【請求項１７】
請求項１４ないし１６のいずれかに記載の水処理装置において、前記水処理用フィルタ装置の下流側と連結して設けた貯水タンクをさらに備えていることを特徴とする、水処理装置。
【請求項１８】
請求項１７記載の水処理装置において、前記タンク内に二価三価鉄塩を含有する所望数のセラミック固形物を出し入れ自在に収容してあることを特徴とする、水処理装置。
【発明の詳細な説明】
【０００１】
【発明の属する技術分野】
本発明は水処理用フィルタを備え、水を前記フィルタを通過させて処理する水処理用フィルタ装置及び水処理装置に関する。さらに詳しくは前記フィルタを用い、水道水，井戸水，中空糸膜透過水、或いは逆浸透膜透過水等の水を中和して弱アルカリ性にする水処理用フィルタ装置および水処理装置に関する。
【０００２】
【従来の技術】
一般に、身体に好適な水はＰＨ約８弱ないし約８．５程度の弱アルカリ水であると言われている。水道水等の水のＰＨを調整する手段として、例えば水電解装置を用いる方法が知られている（例えば、特許文献１参照）。この方法により水のＰＨ値を調整することができる。
【０００３】
また、現在、水処理方法として逆浸透膜を利用した逆浸透（ＲＯ）法が一般に用いられている。このＲＯ法は原水（被処理水）に適当な圧力を掛けて逆浸透膜を透過して原水に含まれている混合物（水分子以外の略全ての物質）を分離除去するシステムである。このＲＯ法による逆浸透膜透過水（ＲＯ水）は純水ないし限りなく純水に近い水になり、医療用の無菌水や人工透析用精製水、或いは電子産業における半導体の製造用水等、さまざまな分野で利用されている。
【０００４】
上記のようにＲＯ水は純水ないし限りなく純水に近い水であるため電子産業等の分野で利用する水としては最適なものが得られる。しかるに、ＲＯ法により逆浸透膜を透過すると原水中に含まれている有効成分、特にカルシウムやマグネシウム等の硬度成分も全て分離除去されるので、ＰＨ値が低下して酸性水となる。ＲＯ水のＰＨ値は原水の硬度により異なるが、通常の水道水を用いたＲＯ水はＰＨ約５．８〜約６．５、平均約６程度になる。そのため、ＲＯ水をそのまま飲料水等として利用することは健康上よくないといわれている。
【０００５】
そこで、本発明者は従来のような電解装置等とは別の手段により水道水、井戸水、中空糸膜透過水、或いは逆浸透膜透過水等の水のＰＨ値を調整する方法の開発に着手した。そして、本発明者は研究した結果、水を中和してＰＨ値を調整する処理方法としてカルシウムを用いる方法を考え、カルシウム濾材を用いたフィルタを製造し、水を前記フィルタを通過させて処理する方法を試みた。この方法によると、水が前記濾材と接触して反応し、濾材中を通過する間にカルシウム成分が水に溶出するので、水のＰＨ値は高くなり、アルカリ水化させることができる事実を見出した。
【０００６】
しかるに、前記の方法によると、全ての水をカルシウム濾材を通過させるので、水に対するカルシウム成分の溶出量、したがって、水中のカルシウム成分の含有量が多くなり過ぎ、そのためＰＨ値が高く成り過ぎる。処理する水の種類によりＰＨ値に差が生じるが、例えば、水道水等の水を用いて行なった実験の結果では。ＰＨ値が１２〜約１６程度になることが判明した。ＰＨ値が高過ぎると、ヒトの健康上において良い結果とはならない。身体に好適な水は上述したように、ＰＨ約８弱ないし約８．５程度の範囲である。
また、前述の方法は全ての水をカルシウム濾材を通過させるので、使用当初は前記したようにカルシウム成分の溶出量が多く、その後時間の経過に伴ってカルシウム成分の溶出量が次第に少なくなり、その結果、ＰＨ値も次第に低下して弱アルカリ性に中和することができなくなる。
【０００７】
上記のように前述の方法では前記フィルタを通過する水のＰＨ値が変化して一定に保持することはできないと共に、長時間に亘り水を安定して弱アルカリ化処理することはできない問題を有している。
【０００８】
【特許文献１】
特開平９−１１７７６０号公報
【０００９】
【発明が解決しようとする課題】
本発明は上記のような実情に鑑み、水道水、井戸水、中空糸膜透過水、或いは逆浸透膜透過水等の水を初期の段階から長期間に亘り、安定、かつ一定に保持させて中和（ＰＨ値を調整）し、身体に好適な弱アルカリ性にし得る水処理用フィルタ装置及び水処理装置を提供することを目的とするものである。
【００１０】
【課題を解決するための手段】
上記目的を達成するため、本発明のうち１つの発明（第１の発明）は、水処理用フィルタを備え、水を前記フィルタを通過させて処理する水処理用フィルタ装置において、前記水処理用フィルタは、水入口及び水出口を有するハウジングと、前記ハウジング内に収容して設けたＰＨ調整用処理器と、前記水出口と連通させて前記ハウジング内に形成された水合流室と、前記入口側と水合流室とを連通させて前記ハウジング内に形成された水通過用の主通路とを備え、前記ＰＨ調整用処理器は、収容ケース内に充填した第１の水処理剤層と、前記ケースに設けられ、前記水入口からハウジング内に導入される水の一部を分流させて前記ケース内に導入する分流用の水導入部と、前記ケース内と水合流室側とを連通させて前記ケースに設けた水流出部とを備え、前記水処理剤層はカルシウム成分を含有する複数個のカルシウム成分含有材で構成されていることを特徴とする。
【００１１】
第１の発明によれば、水を前記フィルタの水入口へ送給すると、この水はハウジング内の前記主通路を通って水合流室内へ流れる。一方、ハウジング内へ導入された前記水の一部はハウジング内で分流されて前記水導入部から前記処理器のケース内に導入される。そして、この分流導入水は前記水処理剤層を通過し、この分流通過水（この水はＰＨ値が高い）は水流出部から水合流室内へ導出し、前記主通路を通って水合流室内へ導入された前記水と合流される。したがって、前記水入口へ送給した水は前記分流通過水との合流により中和（ＰＨ値を調整）され、弱アルカリ水となる。そして、この弱アルカリ水は水出口から流出する。また、一部の水だけを前記層を通過させるので、前記層の水処理剤を長期間にわたり有効に作用させ、安定かつ一定に保持させて前記水を中和してＰＨ値を所望の数値に調整することができる。
【００１２】
第１の発明において、前記カルシウム成分含有材は、カルシウム成分を含有するセラミック固形物で構成することができる。前記カルシウム成分を含有する物質の種類は特に限定されるものではないが、例えば珊瑚砂、焼成した珊瑚、焼成した貝化石及び焼成した動物骨等が挙げられ、これらの中から１種又は複数個を選択して採用することができる。前記構成に関しては以下に説明する発明についても同様である。
【００１３】
また、第１の発明において、前記水通過用の主通路は、例えば前記水処理用フィルタのハウジングの内周壁面と前記ＰＨ調整処理器の前記ケースの外周壁面との間に形成された間隙部等で構成することができる。さらにまた、第１の発明において、前記水導入部及び前記水流出部は、例えばピンホール等で構成することができる。これらの構成に関しては以下に説明する発明についても同様である。
【００１４】
本発明のうち他の１つの発明（第２の発明）は、第１の発明において、前記水処理用フィルタの前記水入口側と連結して設けられ、水入口及び水出口を有するハウジング内に第２の水処理剤層を充填した水活性用フィルタをさらに備え、前記第２の水処理剤層は二価三価鉄塩を含有する複数個のセラミック固形物で構成されていることを特徴とする。
【００１５】
本発明のうち、さらに他の１つの発明（第３の発明）は、第１の発明において、前記水活性用フィルタは前記水処理用フィルタの水出口側と連結して設けてあることを特徴とする。
【００１６】
前記二価三価鉄塩は近年開発された活性物質で、この活性物質（二価三価鉄塩）は二価鉄と三価鉄との中間の性質を示す単一の化合物、或いは、二価鉄と三価鉄が共存する単一の化合物であると思われる。この二価三価鉄塩は現在工業的に生産可能である（例えば、特公平３−６３５９３号公報、特公平４−２７１７１号公報参照）。
【００１７】
前記二価三価鉄塩の活性物質は水と接触することにより、次のような作用を有することが判明している。即ち、通常の水に前記活性物質を超微量（例えば、濃度２×１０−１２モルないし２×１０−１８モル）混入することにより、この水溶液（以下、この水溶液を便宜上「パイウォーター」という）は以下のような特性をもつことが判明している。
【００１８】
（水分子の構造変化）…通常、水の水分子は水素と酸素の重心がかさならないため、プラス・マイナスの極性が起こる。そのため、水分子が水素結合によってカゴ状に結合するため、カゴの中に炭化水素，メタン，気体等を溶かし込むことになる。これに対し、パイウォーターでは電子スピンによって水分子及び水分子の結合構造を極性分子から無極性分子に変化、即ち、Ｈ（水素）とＯ（酸素）の重心をかさね、双極性を無にする。つまり、プラス及びマイナスを水分子自体が持たなくなり、その結果、通常の水のように炭化水素等を溶かし込むことはなくなる。
【００１９】
（脱イオン反応）…通常、水中では金属及び金属塩はイオン解離し、イオン反応を主体とする物質変化が起こるが、パイウォーター中ではプラス・マイナスが無くなるため、金属イオンの脱解離が起こり非イオン反応系を形成する。
【００２０】
（病原菌の阻止）…バクテリア等の雑菌は単細胞の微生物でマイナスチャージをもっており、通常水のイオン反応系では生息するがパイウォーター中ではイオン反応を抑制し、雑菌の平衡状態を変化させ増殖はもちろん生息できない環境にする。
【００２１】
前記物質は上述したように、水分子の構造を変化させて活性することは実験上証明されている。第２及び第３の発明は上述したように、前記水活性用フィルタを備え、水を前記第２の水処理剤層を通過させるように構成してある。したがって、第２及び第３発明にあっては、水は前記層を通過中、前記セラミック固形物の前記活性物質と接触して反応し、二価三価鉄塩を含有する水となる。このように、第２及び第３の発明によれば第１の発明に加え、二価三価鉄塩の作用による上述した特性を有する水になる。
【００２２】
本発明において、前記二価三価鉄塩としては、例えば式、
Ｆｅ＋２ｍ  Ｆｅ＋３ｎ  Ｃｌ２ｍ＋３ｎ（式中ｍ及びｎは正の整数を示す）で示される化合物が例示できる。前記式で示される二価三価鉄塩は、例えば、塩化第二鉄を水酸化ナトリウム，水酸化カルシウム，水酸化カリウム，水酸化リチウム等の強アルカリの水溶液に投入して原子価変換を起こさせた場合の遷移形態等として得られる（第１の方法）。この第１の方法による具体的製造方法として、例えば次の工程により得たものを例示する。即ち、塩化第二鉄を強アルカリの水溶液に溶解させる工程、この溶液を中和する工程、この中和した溶液を濃縮する工程、とを含んで製造することができる。
【００２３】
また、前記二価三価鉄塩は、三価の鉄塩と二価の金属塩とを混合した溶液によっても得られる。具体的には、例えば三価の鉄塩及び二価の金属塩を所定の比率で含有する所定濃度の希薄水溶液に、第二鉄塩を添加して溶解させ、得られた溶液を濃縮して製造することができる（第２の方法）。前記第二鉄塩としては、例えば塩化第二鉄、硫酸第二鉄、硝酸第二鉄を用いることができる。前記二価の金属塩としては、例えば塩化カルシウム，塩化マグネシウム，塩化亜鉛，硫酸マグネシウム，硝酸カルシウム，硝酸マグネシウム，硝酸亜鉛を用いることができる。
【００２４】
なお、上記製造方法は一例を示したもので、これに限定されるものではない。また、前記二価三価鉄塩の前記式中のｍ：ｎの比は前記化合物製造に用いる物質の種類等により特定の数値をとる。
【００２５】
本発明において、前記二価三価鉄塩は、前記式で示される化合物に代え、磁性を帯びた二価三価鉄塩を採用することもできる。前記磁性を帯びた二価三価鉄塩は、電磁気処理による特性と化学処理による特性の両方を同時に兼ね備えた活性物質で、例えば磁鉄鉱を化学処理して得られる。
【００２６】
前記磁性を帯びた二価三価鉄塩の活性物質は水と接触することにより、次のような作用を奏する特性を有している。即ち、通常の水に前記活性物質を超微量（濃度２×１０−１２モル＝１／２０兆）混入することにより、この物質１／２０兆％水溶液は、上述したパイウォーターのもつ特性に加え、電磁気処理した活性水と同様な特性をもち、特にこの活性物質は水に溶解して共存するので、外部から磁場をかけた活性水に比べ水に強く、かつ効果的に作用する。
【００２７】
本発明において、前記磁性を帯びた二価三価鉄塩としては、例えば磁鉄鉱を濃塩酸に溶解させた後、この溶液を中和し、この中和した溶液を濃縮して結晶化し、この結晶を、磁鉄鉱を濃塩酸に半溶解させた溶液に加える工程を含んで得られる化合物で構成することができる。前記中和に用いる成分としては、例えば水酸化ナトリウム，水酸化カルシウム，水酸化カリウム，水酸化リチウム等を挙げることができる。なお、前記製造方法は一例を示したもので、これに限定されるものではない。
【００２８】
前記二価三価鉄塩の構成等に関しては以下に説明する発明についても同様である。
【００２９】
本発明のうち、さらに他の１つの発明（第４の発明）は、第１の発明において、前記水処理用フィルタの前記水入口と前記主通路及び前記水導入部とを連通させて前記ハウジング内に形成した水処理剤収容室をさらに備え、前記第２の水処理剤層は前記収容室内に充填してあることを特徴とする。
【００３０】
第４の発明によれば、前記フィルタの水入口から前記ハウジング内に導入される水は前記第２の水処理剤層を通過し、この通過水は前記主通路を通って水合流室内へ流れる。一方、前記通過水の一部は分流されて前記水導入部から前記処理器のケース内に導入され、前記第１の水処理剤層を通過する。そして、この分流通過水（この水はＰＨ値が高い）は第１の発明と同様に水流出部から水合流室内へ導出し、前記主通路を通って水合流室内へ導入された前記水と合流する。したがって、第４の発明によれば第１の発明及び第２，第３の発明の両方の作用効果を同時に兼ね備える。
【００３１】
本発明は第４の発明において、前記水処理剤収容室内へ活性炭で構成した第３の水処理剤層をさらに充填して設けた構成（第５の発明）を採用することができる。活性炭は水の悪臭や塩素等を吸収して除去する作用を有していると共に、活性炭で形成された第３の水処理剤層は約１μｍ以上の物質を吸着、濾過して分離除去する作用を有している。したがって、第５の発明によれば、第４の発明に加え、上述した作用効果を奏する。
【００３２】
本発明（第１ないし第５の発明）の水処理用フィルタ装置はそのままで各種の水処理用フィルタ装置として使用される。
【００３３】
本発明のうち、他の１つの発明（第６の発明）は、水処理装置であって、前記第１ないし第５の発明のいずれかの水処理用フィルタ装置を用いて構成したことを特徴とする。なお、この明細書において「水処理装置」とは、家庭用活水器及び活水装置、家庭用浄水器及び浄水装置、業務用活水器及び活水装置、業務用浄水器及び浄水装置、或いは浄水と活水の両方の機能を兼ね備えた家庭用及び業務用の水処理器ないし水処理装置等の全てを含む概念として用いられている。
【００３４】
第６の発明において、水処理装置はその一例として、前記水処理用フィルタ装置の上流側に連結して設けた逆浸透膜フィルタを備えて構成することができる。（第７の発明）。第７の発明は水道水等の原水（被処理水）を逆浸透膜を透過させ、この逆浸透膜透過水を前記第１ないし第５の発明のいずれかの水処理用フィルタ装置で中和（ＰＨ値を調整）し、弱アルカリ化するものである。
【００３５】
本発明において、前記逆浸透膜フィルタに使用される逆浸透膜の素材や形態等は何ら限定はなく、全て適応可能である。
【００３６】
本発明において、前記水処理装置は被処理水を前記逆浸透膜フィルタ側へ送給するポンプを備えた構成を採用することができる。また、前記水処理用フィルタ装置の下流側と連結して設けた貯水タンクを備えた構成を採用することができる。さらにまた、前記タンク内に二価三価鉄塩を含有する所望数のセラミック固形物を出し入れ自在に収容する構成を採用することができる。
【００３７】
【発明の実施の形態】
以下図面を参照して実施の形態の一例について説明する。図１は本発明の水処理用フィルタの一実施の形態を示す縦断面図、図２は図１のＡ−Ａ線断面図、図３は同上装置に採用されるＰＨ調整用処理器の収容ケースの本体部分を示す縦断面図、図４は前記処理器の蓋部材の部分を示す平面図、図５及び図６は図４のＢ−Ｂ線及びＣ−Ｃ線断面図、図７は同上装置に採用される押え部材を示す平面図、図８は図７のＤ−Ｄ線断面図、図９は同上フィルタ装置の作用説明図である。
【００３８】
上記図１ないし図９において、この実施の形態（実施の形態１）の水処理用フィルタ装置は水を通過させて処理する水処理用フィルタ１を備えている。
【００３９】
前記フィルタ１は、ハウジング１１と、ＰＨ調整用処理器１２と、水合流室１３、及び水通過用の主通路１４とを備えている。
【００４０】
前記ハウジング１１は水入口１５及び水出口１６を有している。図示のハウジング１１は一端を閉塞板１１ｂで閉塞し、他端を開口した円筒状の容器本体１１ａと、容器本体１１ａの開口他端に気密性を保持させて嵌合した密閉蓋体１１ｃとを備えている。前記水入口１５は閉塞板１１ｂに設けてあると共に前記水出口１６は前記蓋体１１ｃに設けてある。
【００４１】
前記ＰＨ調整用処理器１２は前記ハウジング１１内（図示では容器本体１１ａ内）に収容して設けてある。前記処理器１２は収容ケース１７と、このケース１７内に充填した第１の水処理剤層１８と、前記ケース１７に設けられ、前記水入口１５からハウジング１１内へ導入される水の一部を分流させて前記ケース１７内に導入する分流用の水導入部１９と、前記ケース１７内と水合流室１３とを連通させて前記ケース１７に設けた水流出部２０とを備えている。
【００４２】
前記収容ケース１７は前記処理剤層１８を充填して収容するもので、適当な大きさに形成される。この実施の形態の前記ケース１７は前記ハウジング１１の前記容器本体１１ａの内径より小径に形成し、一端を閉塞板１７ｂで閉塞し、他端を開口した円筒状のケース本体１７ａと、ケース本体１７ａの開口他端にオーリング等のシール部材２１を介在し、気密性を保持させて嵌合した蓋部材１７ｃとを備えている。そして、前記処理器１２は前記水導入部１９側を前記水入口１５に位置させると共にハウジング１１の内周壁面と前記ケース１７の外周壁面との間に間隙部１４ａを形成して前記ハウジング１１内に出し入れ自在に収容されている。
【００４３】
実施の形態１の前記処理器１２は前記ケース本体１７ａの前記閉塞板１７ｂ側の端部における外周壁に、前記間隙部１４ａと対応する長さの複数個（図示では４個）のリブ片２２が円周方向に略等間隔で突設されている。また、前記蓋部材１７ｃの外周壁にも前記間隙部１４ａと対応する長さの複数個（図示では６個）のリブ片２３が円周方向に略等間隔で突設されている。前記両リブ片２２，２３は前記ケース１７の前記ハウジング１１内における横方向の動きを規制するためのものである。これにより、前記ケース１７は前記ハウジング１１内に横方向への動きを規制して収容される。
【００４４】
前記ハウジング１１の前記容器本体１１ａ内の前記水入口１５側には、前記閉塞板１１ｂとの間に適当な間隔で水受入れ室２４を形成してフィルタ部材２５が敷設されていると共に前記蓋部材１７ｃの外側にもフィルタ部材２６が敷設されている。これにより、前記ケース１７は前記両フィルタ部材２５及び２６で挟まれた状態で前記ハウジング１１内に収容されている。前記両フィルタ部材２５，２６はグラスファイバー、不織布その他の素材で構成されている。
【００４５】
また、前記ハウジング１１の前記容器本体１１ａ内の開口部側には、容器本体１１ａの内径と略同径ないし微かに大径に形成されていると共に水流通用の大きな水流通孔２８を有する押え部材２７が押し入れられ、この押え部材２７で前記フィルタ部材２６を前記蓋部材１７ｃ側へ強く押し付けてある。これにより、前記ケース１７は軸方向の動きを規制されて前記容器本体１１ａ内に収容されている。また、押え部材２７はハウジング１１の前記蓋体１１ｃの先端を当接して押えられている。
【００４６】
前記水処理剤層１８は、前記ケース１７内に充填して設けたカルシウムを含有する複数個のカルシウム成分含有材１８ａで構成されている。実施の形態１の前記成分含有材１８ａはカルシウム成分を含有するセラミック固形物１８ｂで構成されている。
【００４７】
前記カルシウム成分を含有する物質の種類は特に限定されるものではないが、例えば、珊瑚砂、焼成した珊瑚、焼成した貝化石及び焼成した動物骨等が挙げられ、これらの中から１種又は複数種を選択して採用することができる。また、前記成分含有材１８ａをセラミック固形物１８ｂで構成する場合には、前記例示した物質の中でも特に焼成した動物骨を粉末化した骨粉を採用するのが最も好ましい。この事実は長期間にわたる研究・実験の成果として判明したものである。
【００４８】
前記セラミック固形物１８ｂは任意の方法により適当な大きさ及び形状に形成するもので、実施の形態１ではボール状に形成したものが図示されている。また、セラミック固形物１８ｂは無数の微細な孔（室）を備えた多孔質に形成することが好ましい。なお、セラミック固形物１８ｂの製造方法の具体例については追って説明する。
【００４９】
前記水導入部１９は、前記水入口１５からハウジング１１内の水受入れ室２４内へ導入される水の一部を分流させて前記ケース１７内へ導入するものである。実施の形態１の前記水導入部１９は前記ケース１７の閉塞板１７ｂの略中心部に設けたピンホール１９ａで構成されている（図２、図３参照）。実施の形態１では閉塞板１７ｂの中央部に凹部２９が形成され、前記ピンホール１９ａは前記凹部２９の略中心に形成されている。また、前記凹部２９内にはグラスファイバーその他の任意の素材のフィルタ部材３０が設けてある。
【００５０】
前記水導入部１９（ピンホール１９ａ）の大きさにより水受入れ室２４内の水を分流させてケース１７内へ導入させる量が決定される。前記ピンホール１９ａの大きさは適当に決めるものであるが、例えば前記水入口１５の内径を約３ないし４ミリ程度に設定する場合には、前記ホール１９ａの大きさは例えば、直径約０．１ミリないし約０．６ミリ程度の範囲が挙げられる。但し、上記範囲内に限定するものではない。前記例示した範囲内で前記ホール１９ａの大きさを変えることにより、前記ケース１７内への水の分流量（導入量）を調整することができる。
【００５１】
前記水流出部２０は、前記ケース１７内と水合流室１３とを連通させ、前記ケース１７内の前記水処理剤層１８を通過した通過水を水合流室内１３へ導出して前記主通路１４を通って水合流室１３内へ導入する水と合流させるものである。実施の形態１の前記水流出部２０は図４ないし図６に詳細に示すように、前記蓋部材１７ｃの略中心部に設けたピンホール２０ａで構成されている。実施の形態１では蓋部材１７ｃの略中央部に凹部３１が形成され、前記ピンホール２０ａは前記凹部３１の略中心に形成されている。また、凹部３１内にはグラスファイバーその他の任意の素材のフィルタ部材３２が設けてある。前記水流出部２０（ピンホール２０ａ）の大きさは前記と同様の範囲に設定することができる。
【００５２】
前記水合流室１３は前記水出口１６と連通して前記ハウジング１１内（図示では密閉蓋体１１ｃ内）に形成されている。この水合流室１３は前記主通路１４を通って水出口１６方向へ流れる水と前記処理器１２内を通過した通過水とを合流させるものである。前記水合流室１３は適当な容積に設定することができる。
【００５３】
前記水通過用の主通路１４は前記水入口１５側と水合流室１３とを連通させて前記ハウジング１１内に形成されている。この主通路１４はハウジング１１の水入口１５から送給される水を前記処理器１２の前記ケース１７内を通過させないで、そのまま水合流室１３内へ導入するものである。実施の形態１の前記主通路１４は前記ハウジング１１の容器本体１１ａの内周壁面と前記ケース１７の外周壁面との間に形成された前記間隙部１４ａ（図示では円筒状の間隙部）で構成されている。
【００５４】
実施の形態１の水処理用フィルタ装置は上記のように構成したものである。この構成により、ハウジング１１の水入口１５から導入される水道水，井戸水，中空糸膜透過水、或いは逆浸透膜透過水等の水は、図９の矢印で示すように水受入れ室２４内に入り、フィルタ部材２５を通過し、主通路１４を通り、フィルタ部材２６、孔２８を通って水合流室１３内へ導入される。一方、前記過程において、水受入れ室２４内へ導入された前記水の一部は前記室２４内で分流され、フィルタ部材２５、３０を通過して水導入部１９から前記処理器１２の前記ケース１７内へ導入される。この分流導入水は前記ケース１７内の前記水処理剤層１８を通過し、フィルタ部材３２を経て水流出部２０からケース１７外へ流出する。そして、前記水は前記層１８を通過中、前記セラミック固形物１８ｂと接触して陽イオン交換（水素イオンが取り入れられ、その分カルシウムイオンが放出される）が行なわれ、中和される。
【００５５】
上記のように、前記ケース１７内へ導入された前記分流導入水は前記層１８を通過する間に中和処理される。そして、前記層１８を通過した分流通過水（この通過水はＰＨ値が高い）は上記のように水流出部２０から導出され、フィルタ部材２６、孔２８を通過して水合流室１３内へ入り、主通路１４を通って水合流室１３内へ導入した前記水（前記層１８を通過しない主流の水）と合流し、ハウジング１１の水出口１６から流出する。したがって、前記水は前記分流通過水により中和（ＰＨ値を調整）され、弱アルカリ水となる。
【００５６】
なお、実施の形態１の前記フィルタ装置は、一般的には前記水出口１６側を上部に位置させて縦型の姿勢で配置して使用するようになると思われるが、横型その他任意の姿勢で配置して使用するように構成できること勿論である。前記した姿勢の配置構成については後述する各実施の形態においても同様である。
【００５７】
本発明の水処理用フィルタ装置は、実施の形態１に示す構成において、前記リブ片２２，２３は、例えばケース本体１７ａのみに設ける等、適当に変更可能なものである。また、前記ケース１７の構成も図示以外の構成に変更可能なものである。上記した変形例については後述する実施の形態についても同様である。
【００５８】
図１０は本発明の水処理用フィルタ装置の他の実施の形態（実施の形態２）の全体構成の概略を示すブロック図、図１１は同上装置に採用される水活性用フィルタの一例を示す縦断面図、図１２は前記フィルタの作用説明図、図１３はセラミック固形物の製造工程を示す説明図である。この水処理用フィルタ装置において、実施の形態１で既に説明した構成と共通する部材には同一の符号を付し、説明は省略する。実施の形態２は前記水処理用フィルタ１と連結して配置した水活性用フィルタ２を備えた構成を特徴とする。
【００５９】
前記水活性用フィルタ２は図１１に詳細に示すように、水入口４２及び水出口４３を有するハウジング４１と、このハウジング４１内に設けた第２の水処理剤層４４とを備えている。このフィルタ２は図１０に示すように、前記水出口４３を管路Ｐ１により前記水処理用フィルタ１の前記水入口１５と連結して配置されている。
【００６０】
図示のハウジング４１は一端を閉塞板４１ｂで閉塞し、他端を開口した円筒状の容器本体４１ａと、容器本体４１ａの開口他端に気密性を保持して嵌合した密閉蓋体４１ｃとを備えている。前記水入口４２は閉塞板４１ｂに設けられ、また、前記水出口４３は前記蓋体４１ｃに設けてある。
【００６１】
前記第２の水処理剤層４４はハウジング４１ａ内に充填して設けた二価三価鉄塩を含有する複数個のセラミック固形物１０１で構成されている。前記層４４の両端にはグラスファイバー、不織布その他の素材よりなるフィルタ部材４５、４６が敷設されている。
【００６２】
前記セラミック固形物１０１が含有する二価三価鉄塩としては、式Ｆｅ＋２ｍＦｅ＋３ｎ  Ｃｌ２ｍ＋３ｎ（式中ｍ及びｎは正の整数を示す）で示される化合物を採用する。
【００６３】
前記セラミック固形物１０１は前記化合物をセラミック基材１０１ａに含有させたものである。前記固形物１０１は適当な大きさ及び形状に形成するもので、この実施の形態２では図１３に詳細に示すように、例えば直径約５〜約１５ミリ程度のボール状に形成してある。セラミック基材１０１ａの構成原料は粘土を主材とし、これに所望の添加剤（材）を適量混入する。また、セラミック固形物１０１は無数の微細な孔（室）を備えた多孔質に形成することが好ましく、その形成手段として、前記基材１０１ａの原料中に適量のおがくずを混入するのが製造上においても簡単である。
【００６４】
前記セラミック基材１０１ａの焼成温度は約８００℃〜約１１００℃程度、焼成時間は特に限定されるものではないが、実験の結果では約１０時間〜約３０時間程度が好ましいことが判明した。また、基材１０１ａの原料中に混入する二価三価鉄塩の活性物質の量は極く少量で充分であり、例えばセラミック基材１０１ａの原料を混練して所望の大きさ、形状に形成する際に使用する水（蒸留水等がよい）に約１００万〜約１０億分の１％混入、即ち、前記活性物質を蒸留水等に約１００万〜約１０億分の１％含有してなる水溶液を粘土材の練り用水として使用することにより目的を達成することができる。但し、前記％の範囲内に限定するものではない。
【００６５】
次に前記セラミック固形物１０１の具体的な製造方法の一例につき説明する。まづ、上述した式で示される二価三価鉄塩は例えば次の方法により製造できる。即ち、１．０ｍｇの塩化第二鉄を１００ｍｌの０．５Ｎカセイソーダ水溶液に入れ、攪拌溶解させて２４時間静置する。前記溶液中に生じた不溶性物質を除去し、この溶液を塩酸で中和した後、減圧濃縮してデシケーター中で乾燥結晶化する。得られた結晶に５０ｍｌのイソプロピルアルコール８０重量％水溶液を加えて再溶解し、減圧濃縮して溶媒を除去、乾燥させ、この再溶解，濃縮，乾燥を数回繰り返すことにより０．２５ｍｇの結晶（二価三価鉄塩）を得た。この結晶を蒸留水等で溶解して約１万倍に希釈して前記二価三価鉄塩を含有する原液（原液Ａ）とする。
【００６６】
次に前記固形物１０１は例えば次の方法により製造できる。即ち、図１３に示すように、セラミック基材１０１ａの主原料として、粘土（粉末）約７０重量％、これに添加剤（材）として、ゼオライト（粉末）約１０重量％、アルミナ（粉末）約１０重量％、おがくず約１０重量％を配合する。そして、上記の原料、即ち、粘土１０２，ゼオライト１０３，アルミナ１０４，おがくず１０５を図１３Ａに示すように適当な容器１０６に入れると共に、これに前記二価三価鉄塩の原液Ａを蒸留水等の水で約１０００倍〜約１万倍に希釈した希釈液（水溶液）１０７を適量添加して均一に攪拌混練し、これを所望の大きさ形状（例えば直径約１０ミリ程度のボール状）に形成する（図１３Ｂ参照）。そして、この成形品１０１ｂを適当な温度（例えば約８００℃〜約１１００℃程度）で適当時間（例えば約１０時間〜約３０時間）焼成する。これにより、前記成形品１０１ｂはセラミック状に焼成固化し、また、二価三価鉄塩も同時に焼結してセラミック基材１０１ａに均一に担持され、かつ、おがくずは燃焼してセラミック基材１０１ａには全体的に無数の微細な孔（室）１０８が形成され、セラミック固形物１０１が造られる（図１３Ｃ参照）。
【００６７】
実施の形態２において、前記式で示される二価三価鉄塩は次の方法により製造したものを採用することもできる。即ち、濃度１０ミリモルの塩化カルシウム水溶液１００ｍｌに、塩化第二鉄２７０ｍｌを添加して溶解させた。この溶液を水（蒸留水）で希釈して、濃度１０−１０ミリモルの希薄溶液を調製した。この希薄溶液２０ｍｌに結晶状態の塩化第二鉄１ｇを溶解させた後、これを磁器製蒸発皿に入れ、湯煎で徐々に蒸発させて濃縮した。得られた固溶状の濃縮物をデシケーター中で乾燥して結晶（二価三価鉄塩）を得た。この結晶を蒸留水等で溶解して約１万倍に希釈して前記二価三価鉄塩を含有する原液（原液Ｂ）とする。そして、前記原液Ａに代え、原液Ｂを用いる以外は上述した方法と同様に処理してセラミック固形物１０１を製造する。
【００６８】
上記により製造したセラミック固形物１０１は、これを水に入れると、水はセラミック基材１０１ａの前記孔（室）１０８を通じて基材１０１ａ内に浸み込んで前記物質と接触して反応し、前記式で示される二価三価鉄塩を含有する水となる。また、前記物質はセラミック基材１０１ａに一体に焼結して担持されているので、水に一度に溶出することなく、基材内にとどまって長時間にわたり継続的に安定して作用する（有効作用期間は約１〜２年程度）。
【００６９】
実施の形態２の水処理用フィルタ装置の水活性用フィルタ２は、ハウジング４１内に前記セラミック固形物１０１を所望数充填して構成した第２の水処理剤層４４を備えている。この構成により、ハウジング４１の水入口４２から導入される水道水，井戸水，中空糸膜透過水、或いは逆浸透膜透過水等の水は、図１２に矢印で示すように、フィルタ部材４５、前記水処理剤層４４、フィルタ部材４６を通過して水出口４３から流出する。そして、前記水は前記層４４を通過中、セラミック固形物１０１と接触して反応し、前記式で示される二価三価鉄塩を含有する水となる。
【００７０】
水活性用フィルタ２の水出口４３から流出する前記水は管路Ｐ１を通って前記水入口１５から水処理用フィルタ１へ導入され、前記と同様に中和（ＰＨ値を調整）されて水出口１６から流出する。この水は実施の形態１と同様に身体に好適な弱アルカリ性になり、加えて二価三価鉄塩の作用による上述した特性を有する水となる。
【００７１】
実施の形態２において、前記二価三価鉄塩は、前記式で示される化合物に代え、磁性を帯びた二価三価鉄塩を採用することもできる。磁性を帯びた二価三価鉄塩は上述したように電磁気処理による特性と化学処理による特性の両方を同時に兼ね備えた活性物質で、この活性物質は例えば次の方法により製造できる。
【００７２】
即ち、０．１ｇの磁鉄鉱を１０ｍｌの濃塩酸に入れ、攪拌溶解させて２４時間静置する。この溶液に２５ｍｌの２Ｎ水酸化ナトリウム水溶液を加えて２４時間静置し、中和する。この溶液を減圧濃縮して結晶を析出し、空気乾燥器中で結晶を乾燥する。この結晶を１０ｍｌのエチルアルコールに入れて洗浄する。この洗浄操作を数回繰り返して結晶を精製し、活性物質（結晶）を得る。この際の収率は０．８８ｇであった。次いで、５ｇの磁鉄鉱を１０ｍｌの濃塩酸に入れ、攪拌して半溶解させた後、上記工程で得られた活性物質結晶を０．１ｇ加え、良く攪拌して２４時間静置する。この上澄み液をデカンテーション法により不溶の磁鉄鉱と分離し、活性物質溶液（磁性を帯びた二価三価鉄塩の活性物質の溶液）を得る。
【００７３】
そして、前記により得られた活性物質溶液を用い、前記セラミック固形物１０１と同様の方法により処理して磁性を帯びた二価三価鉄塩を担持させたセラミック固形物を製造する。なお、セラミック固形物の製造に当たり、前記基材１０１ａの原料中に混入する前記活性物質溶液の分量についても前記セラミック固形物１０１と同様である。なお、この場合には前記溶液を水（蒸留水等）に溶かして原液（原液Ｃ）とする。これにより処理した水は実施の形態１と同様に身体に好適な弱アルカリ性になり、加えて磁性を帯びた二価三価鉄塩の作用による上述した特性を有する水になる。
【００７４】
図１４は本発明の水処理用フィルタ装置のさらに他の実施の形態（実施の形態３）の全体構成の概略を示すブロック図である。この水処理用フィルタ装置において、実施の形態１及び２で既に説明した構成と共通する部材には同一符号を付して説明は省略する。
【００７５】
実施の形態３は実施の形態２において、前記水活性用フィルタ２を水処理用フィルタ１の水出口１６側と連結して配置した構成を特徴とする。即ち、実施の形態３においては、水活性用フィルタ２は水入口４２を管路Ｐ２により水処理用フィルタ１の水出口１６と連結して配置されている。他の構成については実施の形態２と同様である。この実施の形態３によっても実施の形態２で処理した水と同様の水が得られる。
【００７６】
図１５は本発明の水処理用フィルタ装置のさらに他の実施の形態（実施の形態４）を示す縦断面図、図１６は図１５の前記フィルタ装置の作用説明図である。この水処理用フィルタ装置において、実施の形態１及び２で既に説明した構成と共通する部材には同一符号を付して詳細な説明は省略する。
【００７７】
実施の形態４の水処理用フィルタ装置は前記水処理用フィルタ１と水活性用フィルタ２とを組合せた構成に特徴がある。即ち、実施の形態４は実施の形態１の水処理用フィルタ装置において、前記ハウジング１１内に前記ＰＨ調整用処理器１２と、前記第２の水処理剤層４４とを一緒に設けた構成に特徴がある。実施の形態４の水処理用フィルタ装置は水を通過させて処理する水処理用フィルタ１Ａを備えている。
【００７８】
前記水処理用フィルタ１Ａは、前記ハウジング１１内の前記水入口側に位置させて、前記水入口１５と前記水通過用の主通路１４及び前記水導入部１９とを連通させて形成した水処理剤収容室３３を備えている。そして、前記収容室３３内に前記第２の水処理剤層４４が充填して収容されている。この水処理剤層４４は実施の形態２で開示した二価三価鉄塩を含有する複数個のセラミック固形物１０１で構成されている。前記層４４の前記水入口１５側端（図１５において下端）にはグラスファイバー、不織布その他の素材よりなるフィルタ部材３４が敷設されている。これにより、第２の水処理剤層４４は両端を前記フィルタ部材３４及び２５でサンドイッチ状に挟まれている。また、実施の形態４の前記収容室３３内には前記閉塞板１１ｂの内壁面にフィルタ受け体３５が突設されている。そして、前記受け体３５で前記フィルタ部材３４を受け止めている。他の構成は実施の形態１の水処理用フィルタと同様に構成されている。
【００７９】
前記ＰＨ調整用処理器１２の前記収容ケース１７内に充填した前記第１の水処理剤層１８は上述したように実施の形態１で開示したカルシウム成分を含有する複数個の前記カルシウム成分含有材１８ａで構成され、このカルシウム成分含有材１８ａは実施の形態１と同様にカルシウム成分を含有する前記セラミック固形物１８ｂで構成されている。
【００８０】
ここで、前記セラミック固形物１８ｂの具体的製造方法の一例につき説明する。前記セラミック固形物１８ｂは実施の形態２で説明した二価三価鉄塩を含有するセラミック固形物１０１と同様の方法により製造することができる。即ち、例えば、前記セラミック基材１０１ａと同様の材料を前記と同様の割合で配合し、この配合物に対して焼成した動物の骨粉を適当な割合（例えば前記配合物に対して約５重量％ないし約３０重量％）で添加する。そして、前記原料を適当な容器に入れ、これに蒸留水等の水を適量添加して均一に攪拌混練し、これを所望の大きさ及び形状（例えば直径約２ミリ〜約５ミリ程度のボール状）に形成する。この場合、前記水として二価三価鉄塩を含有する水を採用してもよい。この水としては上述した二価三価鉄塩の原液（原液Ａ又はＢ又はＣ）を例えば約１０万倍〜約１０００万倍に希釈した希釈液を使用することができる。
【００８１】
そして、前記成形品を適当な温度（例えば約８００℃〜約１１００℃程度）で適当な時間（例えば約１０時間〜約３０時間）焼成する。これにより前記成形品はセラミック状に焼成固化し、カルシウム成分を含有するセラミック固形物１８ｂが造られる。このセラミック固形物１８ｂは前記セラミック固形物１０１と同様に、全体的に無数の微細な孔（室）を備えた多孔質に形成される。
【００８２】
実施の形態４の水処理用フィルタ装置は上記した構成を具備してなっている。この構成により、ハウジング１１の水入口１５から導入される水道水，井戸水，中空糸膜透過水、或いは逆浸透膜透過水等の水は、図１６に矢印で示すように、フィルタ部材３４、収容室３３内の第２の水処理剤層４４、及びフィルタ部材２５を通過し、前記主流路１４を通り、フィルタ部材２６、孔２８を通って水合流室１３内へ導入される。そして、前記水は前記層４４を通過中、セラミック固形物１０１と接触して反応し、前記二価三価鉄塩を含有する水となる。
【００８３】
一方、前記過程において、前記層４４を通過した水の一部は前記室３３内で分流され、フィルタ部材２５、３０を通過して水導入部１９から前記水処理器１２の前記ケース１７内へ導入される。この分流導入水は前記ケース１７内の第１の水処理剤層１８を通過し、フィルタ部材３２を経て水流出部２０からケース１７外へ流出する。そして、前記水は第１の水処理剤層１８を通過中、前記セラミック固形物１８ｂと接触して前記と同様に陽イオン交換が行なわれ、中和される。
【００８４】
上記のように、前記ケース１７内へ導入された前記分流導入水は前記層１８を通過する間に前記と同様に中和処理される。そして、前記層１８を通過した分流通過水（この通過水はＰＨ値が高い）は上記したように水流出部２０から導出され、フィルタ部材２６、孔２８を通過して水合流室１３内へ入り、主通路１４を通って水合流室１３内へ導入した前記水（前記層１８を通過しない主流の水）と合流し、ハウジング１１の水出口１６から流出する。したがって、前記水は前記分流通過水により中和（ＰＨ値を調整）され、弱アルカリ水となる。このように、実施の形態４によれば、前記フィルタ１Ａのハウジング１１の水出口１６から流出する水は身体に好適な弱アルカリ性になり、加えて二価三価鉄塩の作用による上述した特性を有する水になる。
【００８５】
図１７は本発明の水処理用フィルタ装置のさらに他の実施の形態（実施の形態５）を示す縦断面図である。実施の形態５は実施の形態４の水処理用フィルタ装置において、前記水処理剤収容室３３内に第３の水処理剤層３６をさらに充填して設けた構成に特徴がある。
【００８６】
即ち、実施の形態５の水処理用フィルタ装置の水処理用フィルタ１Ｂの前記収容室３３内には活性炭で構成した第３の水処理剤層３６が充填されている。図１７では前記収容室３３内の図において前記第２の水処理剤層４４の上部側、即ち、第２の水処理剤層４４とＰＨ調整用処理器１２との間に位置させて、前記第２の水処理剤層４４の端面にフェルト材や濾紙その他の素材よりなるフィルタ部材３７を介在して第３の水処理剤層３６を充填した例が開示されている。他の構成は実施の形態４の水処理用フィルタ１Ａと同様であるため、同一構成部には同一符号を付して説明を省略する。
【００８７】
実施の形態５の水処理用フィルタ装置は上記のように構成されている。これにより実施の形態４のフィルタ装置の作用に加え、既に説明した活性炭による作用で処理された水になる。
【００８８】
図１８は本発明の水処理用フィルタ装置を用いて構成した水処理装置の一実施の形態の全体構成の概略を示すブロック図、図１９は同上装置に使用される逆浸透膜フィルタの一例を示す縦断面図、図２０は同上フィルタの逆浸透膜エレメントの構成を説明するために示す説明図、図２１は前記フィルタの逆浸透膜部分を示す縦断面図である。この実施の形態（実施の形態６）の水処理装置は実施の形態１の水処理用フィルタ装置（図１ないし図９に開示したフィルタ装置）を用いて構成した水処理装置である。この水処理装置において、実施の形態１で既に説明した構成と共通する部材には同一符号を付して説明は省略する。
【００８９】
上記図１８ないし図２１において、この実施の形態６の水処理装置は、図１８に示すように、一次フィルタ３と、このフィルタ３と管路Ｐ３で連結した二次フィルタ４と、このフィルタ４と管路Ｐ４で連結した逆浸透膜フィルタ５と、このフィルタ５と管路Ｐ５で連結した前記水処理用フィルタ１と、このフィルタ１と管路Ｐ６で連結した貯水タンク６とを備えている。
【００９０】
前記一次フィルタ３は一次処理用のフィルタで、炭素繊維等のフィルタ素子が内臓され、約５μｍ以上の物質を濾過して分離除去するように構成されている。このフィルタ３は入口部３ａを原水供給部７（水道等の蛇口等）と管路Ｐ７で連結され、原水（水道水等）を前記フィルタ３へ圧力導入するように構成してある。これにより、原水は前記フィルタ３を通して鉄錆や水垢等の比較的大きめ（約５μｍ以上）の不純物が除去され、一次処理水となって二次フィルタ４へ送給される。
【００９１】
前記二次フィルタ４は二次処理用のプレフィルタで、高吸着活性炭等の濾過素子が内臓され、約１μｍ以上の物質を吸着・濾過して分離除去するように構成されている。このフィルタ４は入口部４ａを前記フィルタ３の出口部３ｂと前記管路Ｐ３で連結して配置されている。
【００９２】
前記管路Ｐ３中にはポンプ８が介装して設けられ、前記フィルタ３から送出される水（一次処理水）を前記ポンプ８で前記二次フィルタ４へ圧力送給するようにしてある。前記ポンプ８は例えばブースタポンプ等で構成され、水を所定の圧力で送給するようになっている。前記ポンプ８は水の送給圧力を調整できるタイプのものを採用することが好ましい。前記一次処理水は前記ポンプ８により所定の圧力で前記二次フィルタ４へ送給され、前記フィルタ４を通過する間に塩素，一部の雑菌，水臭気等、約１μｍ以上の不純物が除去され、二次処理水となって前記逆浸透膜フィルタ５へ所定の圧力で送給される。
【００９３】
前記タンク６は前記水処理用フィルタ１から流出する処理水を貯留するもので、入口部６ａ及びコック６ｂを備えている。前記フィルタ１と前記タンク６の入口部６ａを連結した前記管路Ｐ６中には電磁弁９が介装して設けてある。前記タンク６は所定部にタンク６内の水位を検知するセンサ（図示せず）を備え、このセンサは前記電磁弁９及び前記ポンプ８と関連させてあり、タンク６内の水位が所定の位置に達すると、ポンプ８の稼動を停止すると共に電磁弁９を閉じ、タンク６内の水位が所定の位置より低下するとポンプ８を稼動すると共に電磁弁９を開くように構成してある。これによりタンク６内には常時所定量の水が貯留される。
【００９４】
また、前記タンク６はプラグ型アキュムレータ等の空気圧力タンクを採用することもできる。この場合にはタンク６の所定部にタンク６内の圧力を検知するセンサ（図示せず）を前記ポンプ８及び電磁弁９と関連して設ける。そして、タンク内の圧力を前記センサで検知させ、ポンプ８の稼動・停止及び電磁弁９の開閉を制御するように構成する。
【００９５】
前記逆浸透膜フィルタ５は前記管路Ｐ４により前記二次フィルタ４の出口部４ｂと連結して配置され、フィルタ４から送出される水（二次処理水）が圧力導入される。このフィルタ５は水に含まれる略全ての溶解物（水分子以外の略全ての物質）を分離除去するものである。
【００９６】
この実施の形態６の前記逆浸透膜フィルタ５は、図１９に示すように、入口部５２及び出口部５３を有するハウジング５１と、前記入口部５２側と出口部５３側とを仕切るように、前記ハウジング５１内に収容して設けた逆浸透膜エレメント５４とを備えている。前記ハウジング５１は円筒状に形成され、両端に閉塞板５５及び５６を備えている。前記入口部５２は一方の閉塞板５５に、また、前記出口部５３は他方の閉塞板５６に設けてある。
【００９７】
前記入口部５２は前記管路Ｐ４により前記二次フィルタ４の出口部４ｂと連結されている。前記出口部５３は逆浸透膜を透過した逆浸透膜透過水の出口である。前記他方の閉塞板５６には前記逆浸透膜を透過しない水を排出する排水出口５７が設けてある。
【００９８】
前記逆浸透膜エレメント５４は逆浸透膜を形態化したもので、逆浸透膜の形態には平膜，複合膜或いは中空糸膜等があり、その素材としては、酢酸セルロール系，ポリアミド系，架橋ポリアミン系，架橋ポリエーテル系，スルホン化ポリスルホン等がある。また、前記エレメント５４の形態にはスパイラル型，平板型，プリーツ型或いは複数本の中空糸膜を束ねて形成した中空糸型等がある。本発明はこれらの素材及び形態に左右されるものではなく、全て適応可能である。
【００９９】
この実施の形態６の前記エレメント５４は、図２０に示すように、複数の透孔５８ａが形成された中空管５８と、前記管５８の外周に配置した複数の逆浸透膜５９と、前記各膜５９間に介在したコルゲート状やネット状等のスペーサ６０、及び透過水通過層６１とを備えている。前記逆浸透膜５９は、図２１に示すように全体として袋状に形成され、その中に例えばトリコット等からなる前記通過層６１が収容されている。そして、図２０に示すように、前記逆浸透膜５９の開口部５９ａで前記中空管５８の透孔５８ａを包むようにして、前記各逆浸透膜５９の開口端部を樹脂接着剤等により気密性を保持して前記管５８の外周面に固着されて前記管５８の周囲に配置されている。これにより各膜５９の内部は透孔５８ａを介して中空管５８内と連通している。
【０１００】
そして、各逆浸透膜５９を各スペーサ６０と一緒に中空管５８に渦巻状に巻き付けてスパイラル型に構成され、全体の両端に通液構造の枠体６２，６３（図１９参照）を装着することによりスパイラル構造を維持している。
【０１０１】
前記枠体６２，６３には弾性ガスケット６４，６５が固定されている。前記エレメント５４は、一方の枠体（図示では枠体６２）を一方の閉塞板５５側に、また、他方の枠体（図示では枠体６３）を他方の閉塞板５６側に位置させて、前記ガスケット６４，６５でシールされてハウジング５１内に収容されている。
【０１０２】
前記中空管５８の一端５８ａ（図１９において枠体６２側）は閉塞され、前記管５８の他端５８ｂ（図１９において枠体６３側）側は前記閉塞板５６を貫通すると共にシールして板５６外に突出させ、この突出端部で前記出口部５３を構成してある。
【０１０３】
前記構成により、ハウジング５１の入口部５２から圧力導入される水（二次処理水）は、図１９に矢印で示すように枠体６２側から逆浸透膜５９のスペーサ６０の部分へ導入される。この水はスペーサ６０の部分を通る過程で、その一部の水が逆浸透膜５９を透過する。そして、前記膜５９を透過した水は前記通過層６１に沿って次第に中空管５８に近づき、透孔５８ａを経て中空管５８内に取込まれ、残りの水は排水出口５７からハウジング５１外へ排出され、前記出口５７と連結した排水管路Ｐ８（図１８参照）を通って所定部に排水される。
【０１０４】
一方、前記管５８内に取り入れられた透過水は出口部５３からハウジング５１外へ送出され、水処理用フィルタへ送給される。この透過水は前記膜５１の透過により、水分子以外の略全ての物質が分離除去され、純水ないし限りなく純水に近い水になる。なお、前記透過水は上述したように、水中に含まれているカルシウムやマグネシウム等の硬度成分も全て分離除去されるので、ＰＨ値が低下してＰＨ約５．８〜約６．５、平均約６程度の酸性水となる。
【０１０５】
そして、前記逆浸透膜透過水は管路を通って水処理用フィルタ１の水入口１５からハウジング１１内に導入され、実施の形態１で説明をしたように水処理用フィルタ１で中和処理（ＰＨ値を調整）されて弱アルカリ水となり、この水は水出口１６から流出し、管路Ｐ６を通って貯水タンク７６内に入り、貯留される。この水は身体に好適な弱アルカリ水である。そして、所要時に前記タンク６のコック６ａを開けて使用する。
【０１０６】
また、実施の形態６では、図１８に示すように、前記タンク６内に二価三価鉄塩を含有する所望数のセラミック固形物１０を出し入れ自在に収容されている。前記固形物１０は、例えば、多数の孔を有する容器や網製のケース等に入れた状態で前記タンク５内に収容される。前記セラミック固形物１０は実施の形態２で説明した前記セラミック固形物１０１と同様のものを使用することができる。なお、前記セラミック固形物１０は所望に応じて設けるもので、省略してもよい。この点については後述する実施の形態においても同様である。
【０１０７】
図２２は本発明の水処理用フィルタ装置を用いて構成した水処理装置の他の実施の形態（実施の形態７）の全体構成の概略を示すブロック図である。この実施の形態７の水処理装置は実施の形態２の水処理用フィルタ装置（図１０ないし図１３に開示したフィルタ装置）を用いて構成した水処理装置である。この水処理装置において、実施の形態２及び６で既に説明した構成と共通する部材には同一符号を付し、説明は省略する。
【０１０８】
実施の形態７は実施の形態６の水処理装置において、前記水処理用フィルタ１と逆浸透膜フィルタ５との間に実施の形態２で説明した水活性用フィルタ２を介装して設けた構成を特徴とする。即ち、実施の形態７では、前記水活性用フィルタ２の水出口４３を管路Ｐ１により前記水処理用フィルタ１の水入口１５と連結すると共に水入口４２を管路Ｐ５により逆浸透膜フィルタ５の出口部５３と連結して配置されている。他の構成は実施の形態６の水処理装置と同様に構成されている。
【０１０９】
実施の形態７の水処理装置は上記のように構成されている。これにより、逆浸透膜フィルタ５から送出される逆浸透膜透過水は管路Ｐ５を通って水活性用フィルタ２の水入口４２からハウジング４１内に導入され、実施の形態２で説明したように前記フィルタ２で処理されて二価三価鉄塩を含有する水となる。そして、この水は水出口４３から流出し、管路Ｐ１を通って水処理用フィルタ１へ送給され、この水は前記と同様に水処理用フィルタ１で中和（ＰＨ値を調整）されて水出口１６から流出し、管路Ｐ６を通って貯水タンク７６内に入り、貯留される。この水は実施の形態６と同様に身体に好適な弱アルカリ性になり、加えて二価三価鉄塩の作用による上述した特性を有する水となる。
【０１１０】
図２３は本発明の水処理用フィルタ装置を用いて構成した水処理装置のさらに他の実施の形態（実施の形態８）の全体構成の概略を示すブロック図である。この実施の形態８は実施の形態３の水処理用フィルタ装置（図１４に開示したフィルタ装置）を用いて構成した水処理装置である。この水処理装置において、実施の形態３及び６で既に説明した構成と共通する部材には同一符号を付し、説明を省略する。
【０１１１】
実施の形態８は実施の形態６の水処理用装置において、前記水活性用フィルタ２を前記水処理用フィルタ１と前記タンク６との間に配置した構成を特徴とする。即ち、実施の形態８においては、水活性用フィルタ２は水入口４２を管路Ｐ２により水処理用フィルタ１の入出口１６と連結すると共に入出口４３を管路Ｐ６により貯水タンク６の入口部６ａと連結して配置されている。他の構成は実施の形態６の水処理装置と同様に構成されている。この実施の形態８によっても実施の形態７で処理した水と同様の水が得られる。
【０１１２】
図２４は本発明の水処理用フィルタ装置を用いて構成した水処理装置のさらに他の実施の形態（実施の形態９）の全体構成の概略を示すブロック図である。この実施の形態９は実施の形態４の水処理用フィルタ装置（図１５及び図１６に開示したフィルタ装置）を用いて構成した水処理装置である。この水処理装置において、実施の形態４及び６で既に説明した構成と共通する部材には同一符号を付し、説明を省略する。
【０１１３】
実施の形態９は実施の形態６の水処理装置において、前記逆浸透膜フィルタ５と貯水タンク６との間に実施の形態４で開示した前記水処理用フィルタ１Ａを配置した構成を特徴とする。即ち、実施の形態９は前記フィルタ１Ａの水入口１５を管路Ｐ５により逆浸透膜フィルタ５の出口部５３と連結すると共に水出口１６を管路Ｐ６により貯水タンク６の入口部６ａと連結して配置されている。他の構成は実施の形態６の水処理装置と同様に構成されている。
【０１１４】
実施の形態９の水処理装置は上記のように構成されている。これにより、逆浸透膜透過水は管路Ｐ５を通って水処理用フィルタ１Ａの水入口１５からハウジング１１内に導入され、実施の形態４で説明したように第２の水処理剤層４４で処理されて二価三価鉄塩を含有する水となると共にＰＨ調整用処理器で中和（ＰＨ値を調整）されて水出口１６から流出し、管路Ｐ６を通って貯水タンク６内に入り、貯留される。この水は実施の形態６と同様に身体に好適な弱アルカリ性になり、加えて二価三価鉄塩の作用による上述した特性を有する水となる。
【０１１５】
図２５は本発明の水処理用フィルタ装置を用いて構成した水処理装置のさらに他の実施の形態（実施の形態１０）を示す説明図である。この実施の形態１０は実施の形態５の水処理用フィルタ装置（図１７に開示したフィルタ装置）を用いて構成した水処理装置である。
【０１１６】
実施の形態５の水処理装置２００は、図２５に示すように、図１７の水処理用フィルタ１Ｂを出し入れ自在に収容するハウジング２０１を備えている。ハウジング２０１は前記フィルタ１Ｂを収容する円筒状の収容筒２０２と、この筒２０２の一端（図において上端）を気密に閉塞する上蓋２０３と、筒２０２の他端（図において下端）を気密に閉塞する底部材２０４とを備えている。
【０１１７】
前記底部材２０４の上面中心部には前記フィルタ１Ｂの水入口１５（管）を嵌合してハウジング１１の水処理剤収容室３３に連通する嵌合孔２０５を有し、前記フィルタ１Ｂは水入口１５を前記孔２０５へ嵌合して収容筒２０２内に収容されている。前記底部材２０４は前記孔２０５に連通する水導入口２０６を有し、水導入口２０６には接続プラグ２０７が取付けてある。また、前記上蓋２０３の中心部には中心孔（図示せず）を有する取付部材２０８が一体形成され、送水管２０９の基端部をナット部材２１０により取付部材２０８の前記孔と連通させて取付けてある。そして、前記フィルタ１Ｂの水出口１６（管）はシール部材２１１を貫通して水出口１６の先端を送水管２０９の基端と連通させ、前記ナット部材２１０で締め付けて、前記フィルタ１Ｂを収容筒２０２に固定してある。なお、上述したように、前記フィルタ１Ｂは図１７に開示したものであるため、同一構成部には同一符号を付して説明を省略する。
【０１１８】
図２５に示す実施の形態５の水処理装置２００は上記のように構成したもので、次にその使用方法等につき説明する。前記プラグ２０７を例えば水道の蛇口等（図示せず）に接続してセットする。そこで、蛇口等のコックを開くと、水は水導入口２０６を通り、水入口１５からハウジング５１の前記収容室３３内に導入される。この水は上述したように第２及び第３の水処理材層４４、３６を通過して処理され、また、第１の水処理剤層１８で中和（ＰＨ値調整）され、水出口１６を通り、送水管２０９から流出する。この水は身体に好適な弱アルカリ性になり、加えて活性炭による作用及び二価三価鉄塩の作用による上述した特性を有する水となる。
【０１１９】
なお、上述した実施の形態の水処理装置は一例として開示したもので、既に説明したように、水処理装置の種類等は任意の構成に変更できるものである。
【０１２０】
【発明の効果】
本発明によれば水道水，井戸水，中空糸膜透過水、或いは逆浸透膜透過水その他の水を中和（ＰＨ値を調整）して、身体に好適な弱アルカリ性にすることができる。
【図面の簡単な説明】
【図１】本発明の水処理用フィルタ装置の一実施の形態を示す縦断面図である。
【図２】図１のＡ−Ａ線断面図である。
【図３】同上装置に採用されるＰＨ調整用処理器の収容ケースのケース本体部分を示す縦断面図である。
【図４】前記収容ケースの蓋部材の部分を示す平面図である。
【図５】図４のＢ−Ｂ線断面図である。
【図６】図４のＣ−Ｃ線断面図である。
【図７】同上装置に採用される押え部材を示す平面図である。
【図８】図７のＤ−Ｄ線断面図である。
【図９】同上フィルタ装置の作用説明図である。
【図１０】本発明の水処理用フィルタ装置の他の実施の形態の全体構成の概略を示すブロック図である。
【図１１】図１０の装置に採用される水活性用フィルタの一例を示す縦断面図である。
【図１２】図１１の前記フィルタの作用説明図である。
【図１３】図１１の前記フィルタのセラミック固形物の製造工程を示す説明図であって、同図Ａはセラミック基材の構成原料を製造する工程を示す説明図、同図Ｂはセラミック基材の成形品を製造する工程を示す説明図、同図Ｃはセラミック固形物の完成品を示す説明図である。
【図１４】本発明の水処理用フィルタ装置のさらに他の実施の形態の全体構成の概略を示すブロック図である。
【図１５】本発明の水処理用フィルタ装置のさらに他の実施の形態を示す縦断面図である。
【図１６】図１５の前記フィルタ装置の作用説明図である。
【図１７】本発明の水処理用フィルタ装置のさらに他の実施の形態を示す縦断面図である。
【図１８】本発明の水処理用フィルタ装置を用いて構成した水処理装置の一実施の形態の全体構成の概略を示すブロック図である。
【図１９】図１８の装置に使用される逆浸透膜フィルタの一例を示す縦断面図である。
【図２０】図１９の前記フィルタの逆浸透膜エレメントの構成を説明するために示す説明図である。
【図２１】前記フィルタの逆浸透膜部分を示す縦断面図である。
【図２２】本発明の水処理用フィルタ装置を用いて構成した水処理装置のさらに他の実施の形態の全体構成の概略を示すブロック図である。
【図２３】本発明の水処理用フィルタ装置を用いて構成した水処理装置のさらに他の実施の形態の全体構成の概略を示すブロック図である。
【図２４】本発明の水処理用フィルタ装置を用いて構成した水処理装置のさらに他の実施の形態の概略を示すブロック図である。
【図２５】本発明の水処理用フィルタ装置を用いて構成した水処理装置のさらに他の実施の形態を示す説明図である。
【符号の説明】
１…水処理用フィルタ
１１…ハウジング
１２…ＰＨ調整用処理器
１３…水合流室
１４…水通過用の主通路
１５…水入口
１６…水出口
１７…収容ケース
１８…第１の水処理剤層
１８ｂ…セラミック固形物
１９…水導入部
２０…水流出部
【図１】
2004243296.tif 000003
【図２】
2004243296.tif 000004
【図３】
2004243296.tif 000005
【図４】
2004243296.tif 000006
【図５】
2004243296.tif 000007
【図６】
2004243296.tif 000008
【図７】
2004243296.tif 000009
【図８】
2004243296.tif 000010
【図９】
2004243296.tif 000011
【図１０】
2004243296.tif 000012
【図１４】
2004243296.tif 000013
【図１１】
2004243296.tif 000014
【図１２】
2004243296.tif 000015
【図１３】
2004243296.tif 000016
【図１５】
2004243296.tif 000017
【図１６】
2004243296.tif 000018
【図１７】
2004243296.tif 000019
【図１８】
2004243296.tif 000020
【図１９】
2004243296.tif 000021
【図２０】
2004243296.tif 000022
【図２１】
2004243296.tif 000023
【図２２】
2004243296.tif 000024
【図２３】
2004243296.tif 000025
【図２４】
2004243296.tif 000026
【図２５】
2004243296.tif 000027
【手続補正書】
【提出日】平成15年11月6日(2003.11.6)
【手続補正１】
【補正対象書類名】明細書
【補正対象項目名】請求項１
【補正方法】変更
【補正の内容】
【請求項１】
水処理用フィルタを備え、水を前記フィルタを通過させて処理する水処理用フィルタ装置において、
前記水処理用フィルタは、水入口及び水出口を有するハウジングと、前記ハウジング内に収容して設けたＰＨ調整用処理器と、前記水出口と連通させて前記ハウジング内に形成された水合流室と、前記水入口側と水合流室とを連通させて前記ハウジング内に形成された水通過用の主通路とを備え、
前記ＰＨ調整用処理器は、収容ケース内に充填した第１の水処理剤層と、前記ケースに設けられ、前記水入口からハウジング内に導入される水の一部を分流させて前記ケース内に導入する分流用の水導入部と、前記ケース内と水合流室側とを連通させて前記ケースに設けた水流出部とを備え、
前記水処理剤層はカルシウム成分を含有する複数個のカルシウム成分含有材で構成されていることを特徴とする、
水処理用フィルタ装置。
【手続補正２】
【補正対象書類名】明細書
【補正対象項目名】０００６
【補正方法】変更
【補正の内容】
【０００６】
しかるに、前記の方法によると、全ての水をカルシウム濾材を通過させるので、水に対するカルシウム成分の溶出量、したがって、水中のカルシウム成分の含有量が多くなり過ぎ、そのためＰＨ値が高く成り過ぎる。処理する水の種類によりＰＨ値に差が生じるが、例えば、水道水等の水を用いて行なった実験の結果では、ＰＨ値が１２〜約１６程度になることが判明した。ＰＨ値が高すぎると、ヒトの健康上において良い結果とはならない。身体に好適な水は上述したように、ＰＨ約８弱ないし約８．５程度の範囲である。


【手続補正３】
【補正対象書類名】明細書
【補正対象項目名】００２１
【補正方法】変更
【補正の内容】
【００２１】
前記物質は上述したように、水分子の構造を変化させて活性することは実験上証明されている。第２及び第３の発明は上述したように、前記水活性用フィルタを備え、水を前記第２の水処理剤層を通過させるように構成してある。したがって、第２及び第３の発明にあっては、水は前記層を通過中、前記セラミック固形物の前記活性物質と接触して反応し、二価三価鉄塩を含有する水となる。このように、第２及び第３の発明によれば第１の発明に加え、二価三価鉄塩の作用による上述した特性を有する水になる。


【手続補正４】
【補正対象書類名】明細書
【補正対象項目名】００６１
【補正方法】変更
【補正の内容】
【００６１】
前記第２の水処理剤層４４はハウジング４１内に充填して設けた二価三価鉄塩を含有する複数個のセラミック固形物１０１で構成されている。前記槽４４の両端にはグラスファイバー、不織布その他の素材よりなるフィルタ部材４５、４６が敷設されている。


【手続補正５】
【補正対象書類名】明細書
【補正対象項目名】００９８
【補正方法】変更
【補正の内容】
【００９８】
前記逆浸透膜エレメント５４は逆浸透膜を形態化したもので、逆浸透膜の形態には平膜，複合膜或いは中空糸膜等があり、その素材としては、酢酸セルロース系，ポリアミド系，架橋ポリアミン系，架橋ポリエーテル系，スルホン化ポリスルホン等がある。また、前記エレメント５４の形態にはスパイラル型，平板型，プリーツ型或いは複数本の中空糸膜を束ねて形成した中空糸型等がある。本発明はこれらの素材及び形態に左右されるものではなく、全て適応可能である。


【手続補正６】
【補正対象書類名】明細書
【補正対象項目名】０１１１
【補正方法】変更
【補正の内容】
【０１１１】
実施の形態８は実施の形態６の水処理用装置において、前記水活性用フィルタ２を前記水処理用フィルタ１と前記タンク６との間に配置した構成を特徴とする。即ち、実施の形態８においては、水活性用フィルタ２は水入口４２を管路Ｐ２により水処理用フィルタ１の水出口１６と連結すると共に水出口４３を管路Ｐ６により貯水タンク６の入口部６ａと連結して配置されている。他の構成は実施の形態６の水処理装置と同様に構成されている。この実施の形態８によっても実施の形態７で処理した水と同様の水が得られる。


【手続補正７】
【補正対象書類名】明細書
【補正対象項目名】０１１６
【補正方法】変更
【補正の内容】
【０１１６】
実施の形態１０の水処理装置２００は、図２５に示すように、図１７の水処理用フィルタ１Ｂを出し入れ自在に収容するハウジング２０１を備えている。ハウジング２０１は前記フィルタ１Ｂを収容する円筒状の収容筒２０２と、この筒２０２の一端（図において上端）を気密に閉塞する上蓋２０３と、筒２０２の他端（図において下端）を気密に閉塞する底部材２０４とを備えている。


【手続補正８】
【補正対象書類名】明細書
【補正対象項目名】０１１８
【補正方法】変更
【補正の内容】
【０１１８】
図２５に示す実施の形態１０の水処理装置２００は上記のように構成したもので、次にその使用方法等につき説明する。前記プラグ２０７を例えば水道の蛇口等（図示せず）に接続してセットする。そこで、蛇口等のコックを開くと、水は水導入口２０６を通り、水入口１５からハウジング５１の前記収容室３３内に導入される。この水は上述したように第２及び第３の水処理剤層４４、３６を通過して処理され、また、第１の水処理剤層１８で中和（ＰＨ値調整）され、水出口１６を通り、送水管２０９から流出する。この水は身体に好適な弱アルカリ性になり、加えて活性炭による作用及び二価三価鉄塩の作用による上述した特性を有する水となる。




【手続補正書】
【提出日】平成15年11月7日(2003.11.7)
【手続補正１】
【補正対象書類名】明細書
【補正対象項目名】０１０２
【補正方法】変更
【補正の内容】
【０１０２】
前記中空管５８の一端５８ｃ（図１９において枠体６２側）は閉塞され、前記管５８の他端５８ｂ（図１９において枠体６３側）側は前記閉塞板５６を貫通すると共にシールして板５６外に突出させ、この突出端部で前記出口部５３を構成してある。


【手続補正１】
【補正対象書類名】図面
【補正対象項目名】図１９
【補正方法】変更
【補正の内容】
【図１９】
2004243296.tif 000028